(57)【要約】【課題】  袋状の表皮内にフレームを挿入した後、開口部を閉口させて内部に発泡液を注入し、表皮をパッドと一体発泡成形する表皮一体発泡品において、フレームを表皮内に挿入し易く、且つ開口部を完全に閉塞できるようにすることである。【手段】  表皮Ａの開口部イを構成する左、右側部１０、１３の両端縁に沿って相互に向き合うように且つ両先端部１１Ｂ、１２Ｂが重なり合うように縫着した左、右内部被覆片１１、１２と、開口部を構成する前、後部１４、１６の両端縁に相互に係止して前記左、右内部被覆片１１、１２を被覆する前、後外部被覆片１５、１７とを有する構成である。【選択図】  図３       
2005334417.tif 000002
【特許請求の範囲】
【請求項１】
袋状に縫製した表皮内にフレームを挿入した後、開口部を閉口させて内部に発泡液を注入し表皮内にパッドを一体発泡成形する表皮一体発泡品において、
前記表皮の開口部を構成する左、右側部の両端縁に沿って相互に向き合うように且つ両先端部が重なり合うように縫着した左、右内部被覆片と、
前記開口部を構成する前、後部の両端縁に相互に係止して前記左、右内部被覆片を被覆する前、後外部被覆片と
を有する表皮一体発泡品。
【請求項２】
前記表皮一体発泡品は自動車用シートに備えるアームレストであって、アームレスト基部に対して先部の幅が広い請求項１記載の表皮一体発泡品。
【発明の詳細な説明】
【技術分野】
【０００１】
本発明は自動車用シートに備えるアームレストなどの表皮一体発泡品に関する。
【背景技術】
【０００２】
従来の例えば自動車用シートのアームレスト、ヘッドレストには袋状に縫製した表皮内にフレームを挿入した後、開口部を閉口させて内部にパッド成形用の発泡液を注入し、表皮内にパッドを一体発泡成形したものが知られている。
【０００３】
以上の表皮は開口部から発泡液が外部に漏出することがないように、例えば特開昭６３ー１６４９８８号公報に示すように、開口部の一側縁に覆片を延設し、この覆片を他端縁を覆って重ね合わせることにより、開口部を閉口している。
【０００４】
【特許文献１】特開昭６３ー１６４９８８号公報
【発明の開示】
【発明が解決しようとする課題】
【０００５】
ところで、例えば、自動車シートのシートバックにアームレスト格納部を設け、この格納部に装着したアームレストには、アームレストの基端部であるシートバック側への取付個所の幅（車幅方向の幅）が先部に対して狭く形成したものがある。
【０００６】
従って、アームレストの外表面を構成する袋状の表皮はその基端部の幅が当然それ以外の例えば先部に対して狭く縫製されている。そして、この表皮内にフレームを挿入し得るように、開口部が設けてあり、この開口部はパッドを一体成形する際に閉口するが、シートバックにアームレストを取付けた際に、外部から視覚されないようにアームレストの基端部側に設けている。
【０００７】
一方、アームレスト内に設けるフレームは表皮の開口部から挿入する先端部から基端部まで、その幅（車幅方向の幅）が一定で、略アームレストの基端部の幅と同一に形成して、フレームに設けた回転軸等がシートバック側に確実に取付け得るように形成している。
【０００８】
そのため、袋状の表皮に設けた開口部よりフレームを内部に挿入する際、表皮の開口部の幅が狭いため、フレームが挿入し難いし、また、フレームを挿入し易いように開口部を広く形成すると、開口部よりパッド成形用の発泡液が外部に漏出する虞れがあった。
【０００９】
そこで、本発明は特に表皮のフレーム挿入用開口部の幅が狭いものにおいて、フレームが挿入し易く、且つパッド成形用の発泡液が外部に漏出することがないようにすることを目的とする。
【課題を解決するための手段】
【００１０】
以上の目的を達成するための本発明に係る表皮一体発泡品は、袋状に縫製した表皮内にフレームを挿入した後、開口部を閉口させて内部に発泡液を注入し表皮内にパッドを一体発泡成形する表皮一体発泡品において、前記表皮の開口部を構成する左、右側部の両端縁に沿って相互に向き合うように且つ両先端部が重なり合うように縫着した左、右内部被覆片と、開口部を構成する前、後部の両端縁に相互に係止して前記左、右内部被覆片を被覆する前、後外部被覆片とを有する構成である。
【００１１】
また、前記表皮一体発泡品は自動車用シートに備えるアームレスト、特に、アームレスト基部に対して先部の幅が広いアームレストにおいて、本発明は特に有効である。
【発明の効果】
【００１２】
本発明によれば、表皮の開口部は左右に設けた左、右内部被覆片とその上に重なり合う前、後被覆片とにより完全に閉塞されるため、表皮内に注入したパッド成形用の発泡液が開口部より外部に露出することがない。
【００１３】
また、左、右内部被覆片と共に表皮の開口部の左、右側部を各々外方に拡げることにより、開口部の幅を拡大でき、フレームが開口部から容易に挿入できる。
【発明を実施するための最良の形態】
【００１４】
以下、本発明の一実施例を図面に基づいて説明する。
図面は自動車用シートのアームレストを発泡成形する場合を示し、このアームレストは基端部の左右をシートバックに回動自在に取付けて、アームレストの不使用時に、シートバックの格納部内に起立状に格納するものである。
【００１５】
そして、このアームレストはシートバック（不図示）に取付ける部分の車幅方向の幅がそれ以外の例えば先部に対して狭く形成されている。
【００１６】
従って、このアームレストの外表面を構成する袋状の表皮Ａも、アームレストの外形形状と同一に形成されているため、図１に示すように、基端部Ａ1側の幅Ｗ2がそれ以外の部分の幅Ｗ3に対して狭く縫製されている。
【００１７】
この表皮Ａには開口部イが基端部Ａ1側に設けてあり、表皮Ａは前部１４、後部１６、左側部１０、右側部１３、先部１８を構成する生地で袋状に縫製されている。
【００１８】
この前部１４…等を構成する生地は、表皮材と発泡体製ワディングとワディングカバーからなる一定の保形性及び弾力性を有する部材で、内面にはパッド発泡液の浸透を防止するための加工が施されている。
【００１９】
一方、この表皮Ａ内に挿入するフレームＢはその幅Ｗ1が前記表皮ＡのＷ2に対してやや短く形成されてシャフト２２の両端部２２Ａが表皮Ａの基端部Ａ1両側に設けた通孔１２２より外部に突出し、シートバック側に設けたストッパ（不図示）にアームレストが起立状態及び水平状態を保持できるように突き当たるように形成されている。
【００２０】
また、フレームＢのシャフト２２が架設される左右のプレート２１、２１にはアームレストを回転自在にシートバックに支持する回転軸２３が設けてあり、この回転軸２３は表皮の通孔１２３より外部に突出するように、フレームＢは袋状の表皮Ａ内に挿入される。図中２０はパイプをＵ字状に折曲したフレーム本体を示す。
【００２１】
表皮Ａの開口部イには前部１４、後部１６より延設した前、後外部被覆片１５、１７が設けてあり、この前、後外部被覆片１５、１７の先端部には相互に係合して係止する係止部材１５Ａ、１７Ａが設けてある。図示する係止部材１５Ａ、１７Ａは断面Ｕ字状のリテーナ１５Ａと、このリテーナ１５Ａに挿入して係止する係止プレート１７Ａとから構成されている。
【００２２】
一方、開口部イを構成する左、右側部１０、１３の端縁１０Ａ、１３Ａには、相互に向き合うように且つ両先端部１１Ｂ、１２Ｂが図３に示すように重なり合うように縫着した左、右内部被覆片１１、１２が設けてある。
【００２３】
以上の前、後外部被覆片１５、１７と同様に左、右内部被覆片１１、１２は、表皮Ａを構成する前記生地を使用している。
【００２４】
以上の左、右内部被覆片１１、１２は、基端部１１Ａ、１２Ａを左、右側部１０、１３の端縁１０Ａ、１３Ａに縫着しても良いが、好ましくは図４に示すように内側に直角状に折り返して左、右側部１０、１３の端縁１０Ａ、１３Ａから前、後部１４、１６と左右側部１０、１３との接ぎ合わせ個所に渉って一体に縫着するのが好ましい。
【００２５】
従って、フレームＢを開口部イより表皮Ａの内部に挿入する際には、前、後外部被覆片１５、１６を開放し左、右内部被覆片１１、１２の先端部１１Ｂ、１２Ｂを図３矢印方向にフレームＢの挿入により押し下げると共に左、右側部１０、１３を外方に拡げると、フレームＢは表皮Ａ内に容易に挿入される。
【００２６】
フレームＢが表皮Ａ内に挿入されると、左、右内部被覆片１１、１２はその保形性、弾力性によって元の状態である図３の状態に戻る。
【００２７】
然る後、前、後外部被覆片１５、１６を相互に係止することにより、図５に示すように、開口部イは閉塞される。
【００２８】
この状態で、袋状の表皮Ａの周囲を金型で被い、表皮Ａ内に、パッド成形用の発泡液を注入してパッドを表皮Ａ、フレームＢと一体に発泡成形してアームレストを成形する。
【００２９】
前記パッド発泡成形の際、開口部（イ）は左、右内部被覆片１１、１２と、その上に重なり合う前、後外部被覆片１５、１７によって完全に閉塞されているため、表皮Ａ内に注入されたパッド成形用の発泡液が開口部（イ）より外部に漏出することがない。
【産業上の利用可能性】
【００３０】
図示するものはアームレストであるが、本発明はヘッドレスト、シートバックなどにも利用できる。
【図面の簡単な説明】
【００３１】
【図１】本発明の分解斜視図である。
【図２】本発明に使用する表皮の斜視図である。
【図３】図２の部分断面図である。
【図４】左、右内部被覆片の一部を示す斜視図である。
【図５】一体発泡する前の状態の部分断面図である。
【符号の説明】
【００３２】
Ａ…表皮、Ｂ…フレーム、イ…開口部、１０…表皮の左側部、１３…表皮の左側部、
１４…表皮の前部、１６…表皮の後部、１１…左内部被覆片、１２…右内部被覆片、１５…前外部被覆片、１７…後外部被覆片
【図１】
2005334417.tif 000003
【図２】
2005334417.tif 000004
【図３】
2005334417.tif 000005
【図４】
2005334417.tif 000006
【図５】
2005334417.tif 000007